(57)【要約】【課題】供給側の水圧の高低、送水量の多寡にかかわらず、良好な使用感を得ることができる放水圧、放水量を実現し、なおかつ、単位時間あたりの使用水量を低減できる節水具。【解決手段】中空筒状体からなり、通水管に接続される節水具。通水管を通る上水の流動方向に直交して第一板体、第二板体が互いに平行に中空筒状体内に配備されている。第一板体と第二板体および、第一板体と第二板体との間における中空筒状体の第二板体が配備されている個所に向けて次第に内径が小さくなる内周壁とによって第一貯留室が形成されている。第一板体は、円周方向に所定の間隔を空けて複数の第一通水孔を備えていると共に、第一板体の第一貯留室側の壁における各第一通水孔が形成されている位置に、各第一通水孔を介して第一貯留室に流入する上水の流れを斜め下方向に向かわせつつ、同一の円周方向に案内する案内部材を備えている。【選択図】図１
2009130803.tif 000002
【特許請求の範囲】
【請求項１】
中空筒状体からなり、通水管に接続される節水具であって、
前記通水管に接続される側から下流側に向けて前記通水管を通る上水の流動方向に直交して上側から下側に向かって第一板体、第二板体、第三板体が互いに平行に前記中空筒状体内に配備され、
前記第一板体と前記第二板体および、前記第一板体と前記第二板体との間における前記中空筒状体の前記第二板体が配備されている個所に向けて次第に内径が小さくなる内周壁とによって第一貯留室が形成され、
前記第二板体と前記第三板体および、前記第二板体と前記第三板体との間における、前記中空筒状体の内周壁とによって、前記第一貯留室より体積が小さい、第二貯留室が形成され、
前記第一板体は、円周方向に所定の間隔を空けて複数の第一通水孔を備えていると共に、前記第一板体の前記第一貯留室側の壁における各第一通水孔が形成されている位置に、各第一通水孔を介して前記第一貯留室に流入する上水の流れを斜め下方向に向かわせつつ、同一の円周方向に案内する案内部材を備えており、
前記第二板体は、前記通水管を通る上水の流動方向に斜めに交叉するように傾斜している第一傾斜面を備えていると共に、前記斜め下方向に向かう上水の流れを受け入れて上水を第二貯留室に流入させる複数の第二通水孔であって、当該第二通水孔全体の通水断面積が、前記第一通水孔全体の通水断面積より小さい複数の第二通水孔を当該第一傾斜面に備えており、
前記第三板体は、当該第三板体の径方向外側の部分において、円周方向に延びる複数の第三通水孔であって、当該第三通水孔全体の通水断面積が、前記第二通水孔全体の通水断面積より小さい複数の第三通水孔を備えている
ことを特徴とする節水具。
【請求項２】
前記案内部材は、前記第一板体において各第一通水孔が形成される位置で、各第一通水孔形成用の三角形状部分を第一貯留室側に向けて下り傾斜に折り曲げ、前記中空筒状体の内周壁側の面と、当該折り曲げられた三角形状部分の表面との間により、上水の流れを斜め下方向に向かわせつつ、同一の円周方向に案内するものである
ことを特徴とする請求項１記載の節水具。
【請求項３】
中空筒状体からなり、通水管に接続される節水具であって、
前記通水管に接続される側から下流側に向けて前記通水管を通る上水の流動方向に直交して上側から下側に向かって第一板体、第二板体、第三板体が互いに平行に前記中空筒状体内に配備され、
前記第一板体と前記第二板体および、前記第一板体と前記第二板体との間における前記中空筒状体の内周壁とによって第一貯留室が形成され、
前記第二板体と前記第三板体および、前記第二板体と前記第三板体との間における、前記中空筒状体の内周壁とによって第二貯留室が形成され、
前記第一板体は、円周方向に所定の間隔を空けて複数の第一通水孔を備えていると共に、前記第一板体の前記第一貯留室側の壁における各第一通水孔が形成されている位置に、各第一通水孔を介して前記第一貯留室に流入する上水の流れを斜め下方向に向かわせつつ、同一の円周方向に案内する案内部材を備えており、
前記第二板体は、前記通水管を通る上水の流動方向に斜めに交叉するように傾斜している第三傾斜面と、当該第三傾斜面に交叉すると共に前記通水管を通る上水の流動方向に斜めに交叉するように傾斜している第四傾斜面とを備えており、
当該第三傾斜面と、第四傾斜面とにそれぞれ前記斜め下方向に向かう上水の流れを受け入れて上水を第二貯留室に流入させる第四通水孔であって、前記第三傾斜面に形成されている第四通水孔を介して第二貯留室に流入する上水の流動する方向と、前記第四傾斜面に形成されている第四通水孔を介して第二貯留室に流入する上水の流動する方向とが逆方向になる第四通水孔が形成されており、
前記第三傾斜面に形成されている第四通水孔の通水断面積と、前記第四傾斜面に形成されている第四通水孔の通水断面積とを足し合わせた第四通水孔全体の通水断面積が、前記第一通水孔全体の通水断面積より小さく、
前記第三板体は、前記第四通水孔を介して前記第二貯留室に流入した上水を下側方向に向けて吐出する複数の第五通水孔を備えている
ことを特徴とする節水具。
【請求項４】
前記案内部材は、前記第一板体において各第一通水孔が形成される位置で、各第一通水孔形成用の三角形状部分を第一貯留室側に向けて下り傾斜に折り曲げ、前記中空筒状体の内周壁側の面と、当該折り曲げられた三角形状部分の表面との間により、上水の流れを斜め下方向に向かわせつつ、同一の円周方向に案内するものである
ことを特徴とする請求項３記載の節水具。
【請求項５】
前記第三傾斜面及び前記第四傾斜面は、円板状で平坦な前記第二板体が中央部において下側方または上側方向に向けて突出するように折り曲げられて形成されている
ことを特徴とする請求項３又は４記載の節水具。
【請求項６】
前記中空筒状体の上側から平坦な円板状の前記第三板体が装入され、前記中空筒状体の内周壁の段部に装着された後、第一の円筒状のスペーサ、平坦な円板状の前記第二板体、第二の円筒状のスペーサ、平坦な円板状の前記第一板体が順に前記中空筒状体内に上側から装入されている
ことを特徴とする請求項３乃至５のいずれか一項記載の節水具。
【発明の詳細な説明】
【技術分野】
【０００１】
本発明は、各家庭における蛇口、店舗などの厨房などにおける蛇口、洗面器の自動手洗い器などに取り付けて使用される節水具に関する。
【背景技術】
【０００２】
上水道は、水道局より送水され各家庭や、店舗、等の厨房などにおける蛇口から放水されて使用される。【０００３】
この際、供給側であるメーン送水口から送水され、蛇口を介して放水されるために必要以上の上水が蛇口から放水されるのが一般的である。【０００４】
水圧が高い場合には多量の上水が放水され、その状態で使用が継続されると、１カ月、１年の間に累積されて非常に多くの上水が放水されることになる。【０００５】
水圧の高い地域、多層階のホテル、マンションなどの低層階の場合には、水圧が高いので、更に多くの上水が放出される。【０００６】
戸建住宅、マンション、寮、スポーツ施設、理美容院も同様で、使用頻度が高くまた規模の大きいものほど上水の放出は増大する。【０００７】
水圧が低い場合には、蛇口からの上水の出が悪くなる。しかし、上水の出が悪い分、逆に、余分に放水されるのが現状である。【０００８】
水圧の低い地域、多層階のホテル、マンションの中の高層階のフロアーなどのように水圧が低いときにこのような問題が生じる。【０００９】
多層階で同一フロアの床面積が大きく、同一系統の給水管の使用者が同時間帯に使用した場合にもこのような問題が発生する。【００１０】
個人住宅、マンション、寮、スポーツ施設も同様である。【００１１】
従来の蛇口では供給される水圧、水量が供給側であるメーン送水口より上層の放水口を通して直接放水することになり構造上、必要以上に放水して使用量が大となり、経費が増大する。【００１２】
このような問題を解決するため、蛇口に取り付けて節水を図る種々の提案がされている。例えば、特許文献１、２記載の発明では、通水管に取り付け、通水管を通過していく上水の流れに強制的な流動を生じさせることによって節水を図る提案がされている。
【特許文献１】特開２００７−１８６９７０号公報
【特許文献２】実用新案登録第３０１４４２３号公報
【発明の開示】
【発明が解決しようとする課題】
【００１３】
本発明は、供給側の水圧が高い場合、低い場合、供給側からの送水量が多い場合、少ない場合のいずれであっても、良好な使用感を得ることができる放水圧、放水量を実現し、なおかつ、単位時間あたりの使用水量を低減できる節水具を提案することを目的にしている。
【課題を解決するための手段】
【００１４】
前記目的を達成するため、この発明が提案する節水具は、以下の通りのものである。【００１５】
請求項１記載の発明は、
中空筒状体からなり、通水管に接続される節水具であって、
前記通水管に接続される側から下流側に向けて前記通水管を通る上水の流動方向に直交して上側から下側に向かって第一板体、第二板体、第三板体が互いに平行に前記中空筒状体内に配備され、
前記第一板体と前記第二板体および、前記第一板体と前記第二板体との間における前記中空筒状体の前記第二板体が配備されている個所に向けて次第に内径が小さくなる内周壁とによって第一貯留室が形成され、
前記第二板体と前記第三板体および、前記第二板体と前記第三板体との間における、前記中空筒状体の内周壁とによって、前記第一貯留室より体積が小さい、第二貯留室が形成され、
前記第一板体は、円周方向に所定の間隔を空けて複数の第一通水孔を備えていると共に、前記第一板体の前記第一貯留室側の壁における各第一通水孔が形成されている位置に、各第一通水孔を介して前記第一貯留室に流入する上水の流れを斜め下方向に向かわせつつ、同一の円周方向に案内する案内部材を備えており、
前記第二板体は、前記通水管を通る上水の流動方向に斜めに交叉するように傾斜している第一傾斜面を備えていると共に、前記斜め下方向に向かう上水の流れを受け入れて上水を第二貯留室に流入させる複数の第二通水孔であって、当該第二通水孔全体の通水断面積が、前記第一通水孔全体の通水断面積より小さい複数の第二通水孔を当該第一傾斜面に備えており、
前記第三板体は、当該第三板体の径方向外側の部分において、円周方向に延びる複数の第三通水孔であって、当該第三通水孔全体の通水断面積が、前記第二通水孔全体の通水断面積より小さい複数の第三通水孔を備えている
ことを特徴とする節水具である。【００１６】
請求項３記載の発明は、
中空筒状体からなり、通水管に接続される節水具であって、
前記通水管に接続される側から下流側に向けて前記通水管を通る上水の流動方向に直交して上側から下側に向かって第一板体、第二板体、第三板体が互いに平行に前記中空筒状体内に配備され、
前記第一板体と前記第二板体および、前記第一板体と前記第二板体との間における前記中空筒状体の内周壁とによって第一貯留室が形成され、
前記第二板体と前記第三板体および、前記第二板体と前記第三板体との間における、前記中空筒状体の内周壁とによって第二貯留室が形成され、
前記第一板体は、円周方向に所定の間隔を空けて複数の第一通水孔を備えていると共に、前記第一板体の前記第一貯留室側の壁における各第一通水孔が形成されている位置に、各第一通水孔を介して前記第一貯留室に流入する上水の流れを斜め下方向に向かわせつつ、同一の円周方向に案内する案内部材を備えており、
前記第二板体は、前記通水管を通る上水の流動方向に斜めに交叉するように傾斜している第三傾斜面と、当該第三傾斜面に交叉すると共に前記通水管を通る上水の流動方向に斜めに交叉するように傾斜している第四傾斜面とを備えており、
当該第三傾斜面と、第四傾斜面とにそれぞれ前記斜め下方向に向かう上水の流れを受け入れて上水を第二貯留室に流入させる第四通水孔であって、前記第三傾斜面に形成されている第四通水孔を介して第二貯留室に流入する上水の流動する方向と、前記第四傾斜面に形成されている第四通水孔を介して第二貯留室に流入する上水の流動する方向とが逆方向になる第四通水孔が形成されており、
前記第三傾斜面に形成されている第四通水孔の通水断面積と、前記第四傾斜面に形成されている第四通水孔の通水断面積とを足し合わせた第四通水孔全体の通水断面積が、前記第一通水孔全体の通水断面積より小さく、
前記第三板体は、前記第四通水孔を介して前記第二貯留室に流入した上水を下側方向に向けて吐出する複数の第五通水孔を備えている
ことを特徴とする節水具である。
【発明の効果】
【００１７】
この発明によれば、供給側の水圧が高い場合、低い場合、供給側からの送水量が多い場合、少ない場合のいずれであっても、良好な使用感を得ることができる放水圧、放水量を実現し、なおかつ、単位時間あたりの使用水量を低減できる節水具を提供できる。
【発明を実施するための最良の形態】
【００１８】
本発明の節水具は、通水管を通過していく上水の流れに強制的な流動、すなわち、上流側から下流側に向けて渦巻き流のように、下側方向に斜めに向かいつつ、円周方向に流動する強制的な流れを生じさせることによって節水を図るものである。更に、前記の強制的に生起された下側方向に斜めに向かいつつ、円周方向に流動する強制的な流れをスムーズに受け入れる、傾斜している開口部の構造によって節水を図るものである。【００１９】
以下、添付図面を参照し、本発明の好ましい実施形態に関していくつかの実施例に基づき説明する。
【実施例１】
【００２０】
図１は本発明の節水具の好ましい実施形態を説明する一部を省略した断面図である。【００２１】
本発明の節水具１は図１図示のように中空筒状体２からなるものであり、図１中、上側が上水の通水管（不図示）に接続されて使用される。【００２２】
中空筒状体２内には、通水管に接続される側（図１中、上側）から下流側（図１中、下側）に向けて第一板体３、第二板体４、第三板体５が互いに平行に配備されている。第一板体３、第二板体４、第三板体５は、いずれも通水管を通る上水の流動方向（矢印１００方向）に直交している。【００２３】
第一板体３の径R１（図２（ａ））＞第二板体４の径R２（図２（ｂ））である。すなわち、第二板体４が配備されている個所における中空筒状体２の内径R２の方が、第一板体３が配備されている個所における中空筒状体２の内径R１のより小さくなっている。【００２４】
図示の実施形態では、中空筒状体２は第二板体４の周縁に向けて径方向内側に傾斜する傾斜壁１０を備えている。これによって、第二板体４が配備されている個所に向けて中空筒状体２の内径が次第に小さくなっている。【００２５】
第一板体３と第二板体４および、第一板体３と第二板体４との間における中空筒状体２の第二板体４が配備されている個所に向けて次第に内径が小さくなる内周壁とによって第一貯留室６が形成されている。【００２６】
第二板体４と第三板体５および、第二板体４と第三板体５との間における、中空筒状体２の内周壁とによって、第一貯留室６より体積が小さい、第二貯留室７が形成されている。【００２７】
第一板体３は、円周方向に所定の間隔を空けて複数の第一通水孔８ａ、８ｂ、８ｃ、８ｄ（以下、第一通水孔を総称して符号８で表すことがある）を備えている。また、第一板体３は、第一板体３の第一貯留室６側の壁における各第一通水孔８が形成されている位置に案内部材１５を備えている。この案内部材１５は、各第一通水孔８を介して第一貯留室６に流入する上水の流れを斜め下方向に向かわせつつ、同一の円周方向に案内するものである。【００２８】
図示の実施形態では、第一板体３の円周方向に９０度ずつの間隔を空けて４個の第一通水孔８ａ、８ｂ、８ｃ、８ｄが形成されている。第一通水孔８ａ、８ｂ、８ｃ、８ｄを介して第一貯留室６に流入する上水の流れは、案内部材１５によって、それぞれ、矢印１０２（図１）で示すように、斜め下方向に向かわせられつつ、矢印９（図２（ａ））で示すように、同一の円周方向に案内される。【００２９】
図示していないが、円周方向に１８０度ずつ、１２０度ずつ、あるいは６０度ずつの間隔を空けて２個、３個、あるいは６個の第一通水孔８が形成されている形態、等にすることができる。【００３０】
図示の実施形態では、案内部材１５は、案内側壁１３と、案内底板１４とを備えている。【００３１】
案内側壁１３は、図３（ａ）、（ｂ）に図示するように、第一板体３における第一貯留室側６の壁の、第一通水孔８ａの径方向外側の辺及びこれに対向する径方向内側の辺の位置から第一貯留室６側に向かって延びるものである。例えば、案内側壁１３は、第一板体３における第一貯留室６側の壁の、第一通水孔８ａの径方向外側の辺及びこれに対向する径方向内側の辺の位置から第一貯留室６側に向かって、通水管を通る上水の流動方向（矢印１００方向）と平行に延びるようにすることができる。【００３２】
図１、図２（ａ）図示の実施形態では、中空筒状体２の内周壁が、第一板体３における第一貯留室６側の壁の、第一通水孔８の径方向外側の辺の位置から第一貯留室６側に向かって延びる案内側壁１３の役割を果たしている。【００３３】
そこで、図１、図２（ａ）図示の実施形態では、第一板体３における第一貯留室６側の壁の、第一通水孔８の径方向内側の辺の位置から第一貯留室６側に向かって延びる案内側壁１３のみが図示されている。【００３４】
案内底板１４は、図３（ａ）、（ｂ）に図示するように、その径方向外側の辺及びこれに対向する径方向内側の辺がそれぞれ案内側壁１３に接続されている。そして、案内底板１４は、第一通水孔８ａの案内部材１５によって案内される上水の円周方向の流れの上流側に位置する辺から、これに対向する上水の円周方向の流れ方向の辺が位置する方向に向かって下り傾斜している。【００３５】
図示の実施形態では、図１図示のように、第一通水孔８ａの位置に配備されている案内部材１５の案内底板１４は、４５度左下がりに傾斜している。これによって、第一通水孔８ａの案内部材１５によって案内される上水の円周方向の流れの上流側に位置する辺から、これに対向する上水の円周方向の流れ方向の辺が位置する方向に向かって下り傾斜している。【００３６】
この下り傾斜する角度は、水圧、水量、節水具の大きさ等を考慮して適宜に定めることができる。【００３７】
図１、図２（ａ）図示の実施形態では、案内底板１４の径方向外側の辺は、案内側壁１３の役割を果たす中空筒状体２の内周壁に接続され、案内底板１４の径方向内側の辺は案内側壁１３の径方向外側の面に接続されている。【００３８】
これによって、矢印１０１（図１）のように第一通水孔８ａに流入した上水は、案内底板１４に案内されて矢印１０２のように斜め下方に向かって第一貯留室６に流入する。そして、中空筒状体２の内周壁と案内側壁１３の径方向外側の面とに案内されて、矢印９（図２（ａ）で示すように、円周方向に案内される。【００３９】
第一通水孔８ｂ、８ｃ、８ｄに配備されている案内部材１５も、第一通水孔８ａに配備されている案内部材１５と同一であるので説明を省略する。【００４０】
各第一通水孔８で前述したように矢印１０１（図１）のように流入した上水が、矢印１０２のように斜め下方に向かって第一貯留室６に流入すると共に、中空筒状体２の内周壁と案内側壁１３の径方向外側の面とに案内されて、矢印９（図２（ａ）で示すように、円周方向に案内される。そこで、第一貯留室６内では、図１に矢印１０３で示すように、円周方向で下側に向かう上水の流れが生じる。【００４１】
しかも、節水具１は、図１中、上側が上水の通水管（不図示）に接続されて使用されるものであるので、第一通水孔８の全体の通水断面積は、通水管（不図示）の通水断面積より小さい。そこで、各第一通水孔８を通過する矢印１０２方向の上水の流れは、通水管（不図示）における矢印１００方向の上水の流れよりも速い。【００４２】
第二板体４は、通水管（不図示）を通る上水の流動方向（矢印１００）に斜めに交叉するように傾斜している第一傾斜面１１ａを備えている。【００４３】
ここで、第一傾斜面１１ａが傾斜する角度は、案内部材１５によって案内されて第一貯留室６に流入する上水の斜め下方向に向かう流れに対応する傾斜角度にすることができる。例えば、第一傾斜面１１ａの傾斜角度を、案内部材１５における案内底板１４の傾斜角度と同一にするものである。図示の実施形態では、案内部材１５の案内底板１４が、水平面に対して４５度左下がりに傾斜しているので、第一傾斜面１１ａも水平面に対して４５度傾斜している形態にしている。【００４４】
第二板体４においては、図１、図２（ｂ）図示のように、各第一傾斜面１１ａの頂辺から下り傾斜する第二傾斜面１１ｂが連続している。そこで図１図示のように、第二板体４は、断面凹凸状の板状体になっている。図示の実施形態では、第一傾斜面１１ａが図１、図２（ｂ）図示のように二面形成されているが、第一傾斜面１１ａの数はこれに限られない。【００４５】
そして、第一傾斜面１１ａには、案内部材１５によって案内されて第一貯留室６に流入する上水の斜め下方向に向かう流れを受け入れて上水を第二貯留室７に流入させる一または複数の第二通水孔１２が形成されている。【００４６】
ここで、第一傾斜面１１ａに形成される一または複数の第二通水孔１２が、案内部材１５によって案内されて第一貯留室６に流入する上水の斜め下方向に向かう流れを受け入れて上水を第二貯留室７に流入させる機能を効果的に発揮する形態としては、図１図示のように、第一傾斜面１１ａに直交する方向で第二通水孔１２が第一傾斜面１１ａに穿設される形態を採用することができる。【００４７】
例えば、図１図示のように、案内部材１５における案内底板１４の傾斜方向及び傾斜角度と同一の傾斜方向、傾斜角度に第一傾斜面１１ａを配置する。そして、第二通水孔１２の傾斜方向及び傾斜角度を、案内底板１４及び第一傾斜面１１ａの傾斜方向、傾斜角度と直交するものにすることができる。【００４８】
前述し、図１に図示しているように、第一板体３、第二板体４、第三板体５は、互いに平行に配置されることによって、例えば、いずれも水平に配置されている。そこで、第二板体４に形成されている第二通水孔１２が通水管（不図示）を通る上水の流動方向（矢印１００）と平行である場合には、前述したように、図１に矢印１０３で示すように第一貯留室６内で生起される円周方向で下側に向かう上水の流れは、スムーズに第二通水孔１２を通過して、第二貯留室７に流入していくことができない。【００４９】
本発明の節水具においては、第二板体４が、通水管（不図示）を通る上水の流動方向（矢印１００）に斜めに交叉するように傾斜している第一傾斜面１１ａを有している。そして、第二通水孔１２は、案内部材１５によって案内されて第一貯留室６に流入する上水の斜め下方向に向かう流れを受け入れて上水を第二貯留室７に流入させるように、第一傾斜面１１ａに形成されている。例えば、第二通水孔１２は第一傾斜面１１ａに直交する方向で第一傾斜面１１ａに穿設されている。【００５０】
そこで、図１に矢印１０３で示すように第一貯留室６内で生起される円周方向で下側に向かう上水の流れは、流動の勢い、速度を減じることなく、第二通水孔１２を通過して、第二貯留室７に流入していく。【００５１】
図示の実施形態では、図２（ｂ）図示のように、二面の第一傾斜面１１ａのそれぞれに一本ずつ細長のスリット状になっている第二通水孔１２が形成されている。【００５２】
第二通水孔１２全体の通水断面積、すなわち、図示の実施形態では２個の細長スリット状の第二通水孔１２の通水断面積は、第一通水孔８ａ〜８ｄ全体の通水断面積より小さくなっている。【００５３】
本発明の節水具１においては、前述したように、第一通水孔８全体の通水断面積が通水管（不図示）より小さいことにより、上水は、通水管（不図示）を流動していた時よりも流速が速められて第一通水孔８を通過する。そして、案内部材１５によって斜め下方向（矢印１０２）に向かわせられつつ、同一の円周方向（矢印９）に案内される。【００５４】
更に、前述したように、第一板体３と、第二板体４との間の中空筒状体２の内径は、第一板体３の径R１（図２（ａ））＞第二板体４の径R２（図２（ｂ））であって、第二板体４が配備されている個所における中空筒状体２の内径R２の方が、第一板体３が配備されている個所における中空筒状体２の内径R１のより小さくなっている。【００５５】
すなわち、第二板体４が配備されている個所に向けて中空筒状体２の内径が次第に小さくなるように、中空筒状体２は第二板体４の周縁に向けて径方向内側に傾斜する傾斜壁１０を備えている。【００５６】
そこで、上水は、第一通水孔８を矢印１０２のように通過した際よりも、勢いをつけ、第一通水孔８に流入した際よりも速い流速で第二板体４に形成されている第二通水孔１２に矢印１０４で示すように流入する。【００５７】
第二通水孔１２が形成されている第一傾斜面１１ａは前述したように傾斜しており、第二通水孔１２は、案内部材１５によって案内されて第一貯留室６に流入する上水の斜め下方向に向かう流れを受け入れて上水を第二貯留室７に流入させるように第一傾斜面１１ａに形成されている。そこで、上水は流動の勢い、速度を大きく低減させることなく、矢印１０４、１０５で示されるように流動する。【００５８】
また、この際、第二通水孔１２全体の通水断面積は、第一通水孔８全体の通水断面積より小さいので、第二通水孔１２を矢印１０５のように通過して第二貯留室７に流入する上水の流れは、上水が第一通水孔８を矢印１０２方向に通過して第一貯留室６に流入する際の流れよりも、更に、速くなる。【００５９】
本発明の節水具１の特徴は、第一板体３の第一通水孔８を介して第一貯留室６に流入する上水が、案内部材１５によって、斜め下方向（矢印１０２方向）に向かいつつ、同一の円周方向（矢印９方向）に流動するように案内される点にある。また、第二板体４が配備されている個所に向けて中空筒状体２の内径が次第に小さくなるように、中空筒状体２が第二板体４の周縁に向けて径方向内側に傾斜する傾斜壁１０を備えている点にある。【００６０】
これによって、第一貯留室６に流入する時点で、斜め下方向（矢印１０２方向）に向かいつつ、同一の円周方向（矢印９方向）に流動するように案内された上水の流れは、その勢いを持続させ、なおかつ、第二板体４に向かうに従って径が小さくなる中空筒状体２の傾斜壁１０に案内されて、一層、勢いを強めて、第二通水孔１２に矢印１０４のように向かう。【００６１】
そして、本発明の節水具１の更なる特徴は、第二板体４に配備されている第一傾斜面１１ａが前述したように傾斜していて、前記上水の斜め下方向に向かう流れを受け入れて上水を第二貯留室７に流入させる第二通水孔１２がこの第一傾斜面１１ａに形成されている点にある。【００６２】
これによって、前述したように、一層、勢いを強めて、第二通水孔１２に矢印１０４のように向かってきた上水は、更に、勢いを増して、第二通水孔１２を矢印１０５のように通過し、第二貯留室７に流入する。【００６３】
前述した案内部材１５は、図３（ａ）、（ｂ）図示のように、案内側壁１３及び案内底板１４を含む筒状体からなり、第一通水孔８ａを入口２０ａとし、筒状体の第一貯留室６内に延びる先端に出口２０ｂを有する案内通路を構成し、入口２０ａ側から出口２０ｂ側に向かって当該案内通路の通水断面積が次第に小さくなっている形態にすることができる。【００６４】
案内部材１５がこのように構成されている場合について、図３を参照して説明する。【００６５】
この場合には、案内底板１４に対向して案内上板１４ａが配備され、案内底板１４、径方向外側の案内側壁１３（あるいは、径方向外側の案内側壁１３の役割を果たす中空筒状体２の内周壁）、案内上板１４ａ、径方向内側の案内側壁１３で囲まれて案内通路が形成される。案内上板１４ａは案内底板１４に対して平行ではなく、図３（ａ）図示のように、左側の端の方が案内底板１４に対し接近するように傾いていることにより、入口２０ａ側から出口２０ｂ側に向かって案内通路の通水断面積が次第に小さくなっている。【００６６】
図３（ｂ）は、入口２０ａの通水断面積の方が、出口２０ｂの通水断面積より大きくなっていることを説明する図である。【００６７】
前述した案内部材１５を図３図示のように構成することによって、第一通水孔８ａ（入口２０ａ）に流入した上水は、出口２０ｂから、第一通水孔８ａ（入口２０ａ）に流入した際よりも速い速度で流出することになる。そこで、上水の流れを第一貯留室６内に向けて、斜め下方向（矢印１０２）に向かわせつつ、同一の円周方向（矢印９）に流動させる案内部材１５の役割を一層効果的に発揮させることができる。【００６８】
なお、前述したような、案内底板１４に対向する案内上板１４ａを使用せず、案内底板１４、径方向外側の案内側壁１３（あるいは、径方向外側の案内側壁１３の役割を果たす中空筒状体２の内周壁）、第一板体３の第一貯留室６に向かう面、径方向内側の案内側壁１３で囲んで案内通路を形成することもできる。この場合も、案内底板１４や、径方向内側の案内側壁１３の設置角度を調整することによって、案内通路の通水断面積を入口２０ａから出口２０ｂに向かうに従って次第に小さくなるようにすることができる。【００６９】
また、第一通水孔８、案内部材１５を、実施例２に採用されている構造、形態のものにすることもできる。すなわち、案内部材１５を、第一板体３において各第一通水孔８が形成される位置で、各第一通水孔８形成用の三角形状部分６２を第一貯留室６側に向けて下り傾斜に折り曲げ、中空筒状体２の内周壁側の面と、当該折り曲げられた三角形状部分６２の表面との間により、上水の流れを斜め下方向（矢印１０２方向）に向かわせつつ、同一の円周方向（矢印９方向）に案内するものである。これは、第一板体３において第一通水孔８を形成する位置の、図７（ａ）、図９で説明されているように、符号５９、６０で示されている箇所に切断線を設け、符号６１で示されている破線の位置を折り曲げ線部として、三角形状部分６２の頂点部６３を第一貯留室６側に向けて下り傾斜に折り曲げるものである。【００７０】
これによって、筒状体２の内周壁側の面と、前記のように折り曲げられた三角形状部分６２の表面との間により、上水を斜め下方向（矢印１０２方向）に向かわせつつ、同一の円周方向（矢印９方向）に案内するものである。【００７１】
この場合、三角形状部分６２の大きさは、水圧、水量、節水具の大きさ等を考慮して適宜に定めることができる。また、三角形状部分６２を、破線６１を折り線部として斜め下方に向かって折り曲げる角度も、水圧、水量、節水具の大きさ等を考慮して適宜に定めることができる。【００７２】
第三板体５は、図２（ｃ）図示のように、その径方向外側に、円周方向に延び、それぞれ所定の間隔を空けて形成されている内側第三通水孔１７ａ、１７ｂ、１７ｃ、１７ｄ（明細書、図面中において符号１７で総称することがある）を備えている。また、第三板体５は、同じく、その径方向外側に、内側第三通水孔１７よりも径方向外側において円周方向に延び、それぞれ所定の間隔を空けて形成されている外側第三通水孔１８ａ、１８ｂ、１８ｃ、１８ｄ（明細書、図面中において符号１８で総称することがある）を備えている。【００７３】
この内側第三通水孔１７と、外側第三通水孔１８とによって、第三板体５の径方向外側の部分において、円周方向に延びる複数の第三通水孔が形成されている。【００７４】
なお、第三板体５の径方向外側の部分において、円周方向に延びる複数の第三通水孔を、内側第三通水孔１７のみ、あるいは、外側第三通水孔１８のみによって形成することもできる。【００７５】
第三通水孔全体の通水断面積（図示の実施形態では、内側第三通水孔１７全体の通水断面積と、外側第三通水孔１８全体の通水断面積とを合わせた通水断面積）は、第二通水孔１２全体の通水断面積より小さくなっている。【００７６】
前述したように、第二貯留室７の体積は、第一貯留室６の体積より小さく、更に、第三通水孔全体の通水断面積が第二通水孔１２全体の通水断面積より小さいので、第三通水孔を通過して、矢印１０６（図１）のように、本発明の節水具から下流に向けて吐出される上水の速度は一層大きいものになる。【００７７】
また、第三板体５の径方向外側の部分において、円周方向に延びる複数の第三通水孔が形成されていることにより、単位時間当たりの矢印１０６方向への吐出量を少なくしつつ、良好な使用感を得ることができる。【００７８】
図４、図５は、この実施例で説明している節水具１の他の形態・構造を説明するものである。図１、図２を用いて説明した節水具１と共通する部分には共通する符号を付けてその説明を省略する。【００７９】
図４、図５図示の本発明の節水具１は、図１、図２を用いて説明した本発明の節水具を小型化したものである。案内部材１５における、第一板体３の第一貯留室６側の壁の第一通水孔８の径方向外側の辺の位置から第一貯留室６側に向かって延びる案内側壁として中空筒状体２の内周壁が利用されていない。すなわち、第一板体３の第一貯留室６側の壁の第一通水孔８の径方向外側の辺の位置から第一貯留室６側に向かって延びる案内側壁１３も図示されている点が図１、図２を用いて説明した本発明の節水具と相違している。【００８０】
また、洗面器の自動手洗い器に取り付けて使用することができるように、通水管に接続される上端側にねじ山が設けられている点が図１、図２を用いて説明した本発明の節水具と相違している。図４図示の実施形態では、中空筒状体２の上端側内周にねじ山を形成している。【００８１】
その他の点は図１、図２を用いて説明した本発明の節水具と同一であるので説明を省略する。【００８２】
本発明の節水具１によれば、節水具１を通過する上水は、第一貯留室６、第二貯留室７が満杯の状態に保たれた上で矢印１０６のように放水される。【００８３】
しかも、通水管から第一貯留室６に上水が流入するにあたっては、第一通水孔８を介することによって通水断面積が狭くなるだけではなく、案内部材１５によって、強制的に斜め下方向に向かいつつ、円周方向に向かう流動が上水に与えられる。そして、これが、下側に向かうに従って内径が小さくなる第一貯留室６内で抵抗を受けることなく流動し、流速を速める。更に、第二板体４の、通水管を流れる上水の流動方向に交叉するように傾斜している第一傾斜面１１ａ及び、この第一傾斜面１１ａに形成されている、第一通水孔８より通水断面積が小さい第二通水孔１２を介して、第一貯留室側６より体積が小さい第二貯留室側７内に上水が流入する。そして、第二通水孔１２より通水断面積が小さい第三通水孔１７、１８を介して放水される。【００８４】
この結果、供給側の水圧が高い場合、低い場合、供給側からの送水量が多い場合、少ない場合のいずれであっても、良好な使用感を得ることができる放水圧、放水量を実現し、なおかつ、単位時間当たりの使用水量を低減でき、高い省エネルギー効果を上げることができる。【００８５】
本発明の図１、図２図示の節水具を店舗の厨房の蛇口に取り付けて使用した。【００８６】
通水管（不図示）の通水断面積：１３２ｍｍ２、第一通水孔８の全通水断面積：２８ｍｍ２、第二通水孔１２の全通水断面積：１８ｍｍ２、第三通水孔１２の全通水断面積：１２ｍｍ２であった。また、第二貯留室７の体積と、第一貯留室６の体積との比はほぼ１：２であった。【００８７】
本発明の節水具を取り付ける前は３６リットル／分の使用量であったものが、本発明の節水具を取り付けた後は１５リットル／分の使用量となり、５８％の節水、省エネルギー化を実現できることを確認できた。【００８８】
そして、この場合に、使用感に変動が生じることはなく、また、使用後の食器等を洗浄することに要する時間、洗浄能力などにも特に変動は生じなかった。【００８９】
なお、この実施例の節水具１において、第二板体４、第二通水孔１２の構造、形態を後述する実施例２に採用されている構造、形態のものにすることもできる。【００９０】
すなわち、平坦な板状体からなる円板状の第二板体４の中央部において下側方向に突出するよう折り曲げて第一傾斜面１１ａ、第二傾斜面１１ｂを形成する。そして、第一傾斜面１１ａに形成されている第二通水孔１２を介して第二貯留室７に流入する上水の流動する方向と、第二傾斜面１１ｂに形成されている第二通水孔１２を介して第二貯留室７に流入する上水の流動する方向とが逆方向になるように第二通水孔１２を第一傾斜面１１ａ、第二傾斜面１１ｂにそれぞれ形成する。【００９１】
このようにすれば、実施例２で説明するように、第一板体３に形成されている第一通水孔８、案内部材１５の構造、形態とあいまって、第一貯留室６から第二貯留室７に第二通水孔１２を介して流入する上水の流速、勢いを非常に強めることができる。これによって節水効率をより高めることができる。【００９２】
そしてこの場合には、実施例２で説明しているように、第一貯留室６の内径が次第に小さくなる構造・形態を採用しない、第一貯留室６の体積と第二貯留室７の体積との関係を問題にしない、第三板体５に形成されている複数の第三通水孔１７、１８の配置位置・形状を問題にしないようにしても節水効率を高めることができる。
【実施例２】
【００９３】
図６〜図９を用いて本発明の他の実施例を説明する。【００９４】
図１〜図５を用いて説明した実施例１における構成要素と共通する部分には共通する符号を付け、その説明を省略する。【００９５】
この実施例の節水具５１が実施例１の節水具１と相違している点の一つは、実施例１の節水具１においては、第一貯留室６の内径が次第に小さくなっていたが、この実施例２の節水具５１においてはそのようになっていないことである。【００９６】
実施例２の節水具５１においては、第一貯留室６の内径は、図６図示のように、第一板体３の位置から第二板体４の位置まで不変にすることができる。ただし、実施例１で説明したように、第一貯留室６の内径が次第に小さくなるものであってもよい。いずれの場合であっても、節水具としての機能を十分発揮しえる。【００９７】
次に、実施例１の節水具１においては、第二貯留室７の体積が第一貯留室６の体積より小さくなっていたが、この実施例２の節水具５１においてはそのようになっていない。【００９８】
実施例２の節水具５１においては、第二貯留室７の体積が、第一貯留室６の体積と同一であっても、第一貯留室６の体積より大きい、あるいは小さい場合のいずれであっても、節水具としての機能を十分発揮しえる。【００９９】
また、実施例１の節水具１においては、第三板体５に形成されている複数の第三通水孔１７、１８は、第三板体５の径方向外側の部分において、円周方向に延びるものであって、第三通水孔１７、１８全体の通水断面積が、第二通水孔１２全体の通水断面積より小さくなっていた。この実施例２の節水具５１においてはそのような条件を必要としていない。【０１００】
実施例２の節水具５１においては、第三板体５に形成されている複数の第五通水孔は、第一貯留室６から第二貯留室７に流入した上水を下側方向（矢印１０６）に向けて吐出するものであれば、それが形成されている箇所、通水断面積の大きさを問わずに、節水具としての機能を発揮することができる。【０１０１】
実施例２の節水具５１と、実施例１の節水具１とが相違している最も大きな点は、第一貯留室６に流入した上水を第二貯留室７に流入させるべく第二板体４に形成されている通水孔の構造、形態である。【０１０２】
実施例２の節水具５１では、第二板体４は、通水管を通る上水の流動方向（矢印１００）に斜めに交叉するように傾斜している第三傾斜面５２と、第四傾斜面５３とを備えている。【０１０３】
第三傾斜面５２、第四傾斜面５３は、それぞれが、通水管を通る上水の流動方向（矢印１００）に斜めに交叉するように傾斜しているだけでなく、第三傾斜面５２と第四傾斜面５３とが互いに交叉するように傾斜している（図６、図８）。【０１０４】
第三傾斜面５２、第四傾斜面５３には、それぞれ、第四通水孔５４ａ、５４ｂが形成されている。第四通水孔５４ａ、５４ｂは、矢印１０２、１０３で示すように、第一貯留室６内で斜め下方向に向かう上水の流れを受け入れて、上水を第二貯留室７に流入させるものである。【０１０５】
この実施例２においても、第四通水孔５４ａの通水断面積と、第四通水孔５４ｂの通水断面積とを足し合わせた第四通水孔全体の通水断面積は、第一板体３に形成されている第一通水孔８全体の通水断面積より小さくなっている。【０１０６】
この実施例２においては、第三傾斜面５２に形成されている第四通水孔５４ａを介して第二貯留室７に流入する上水の流動する方向（矢印５５ａ）と、第四傾斜面５３に形成されている第四通水孔５４ｂを介して第二貯留室７に流入する上水の流動する方向（矢印５５ｂ）とが図６、図８図示のように逆方向になる点に特徴を有する。【０１０７】
これは実施例１の節水具１について第二板体４及び第二通水孔１２の構造、形態を検討する中で本願発明者が発見したものである。【０１０８】
実施例１の節水具１において、上水の流動方向（矢印１００）に斜めに交叉するように傾斜して第二板体４に形成され、第一貯留室６から第二貯留室７に上水を流入させる通水孔を複数個とした。そして、一方のグループの通水孔（単数又は複数）を介して第一貯留室６から第二貯留室７に流入する上水の流動方向と、他方のグループの通水孔（単数又は複数）を介して第一貯留室６から第二貯留室７に流入する上水の流動方向とが逆になるようにした。これによって、第一貯留室６から第二貯留室７に流入する上水の流速を急速に高め得ることを見出した。【０１０９】
この構造を採用することによって、前記で指摘した点の相違が実施例１の節水具１の構造・形態との間に存在したり、前記で指摘した実施例１の構造・形態に要求されていた条件が満たされていなくても、実施例１の節水具１より一層優れた節水効果を発揮できることを見出したのである。【０１１０】
実施例２の節水具５１も図６図示のように中空筒状体２からなり、図６中、上側が上水の通水管（不図示）に接続されて使用される。【０１１１】
図示の実施形態では、中空筒状体２の上側から平坦な円板状の第三板体５が装入され、中空筒状体２の内周壁の段部５８に装着された後、第一の円筒状のスペーサ５７、平坦な円板状の第二板体４、第二の円筒状のスペーサ５６、平坦な円板状の第一板体３が順に中空筒状体２内に上側から装入されている。【０１１２】
第一板体３、第二板体４、第三板体５の径は同一であり、円筒状のスペーサ５６、５７を使用していることにより、第一貯留室６、第二貯留室７は上下方向で同一の径になっている。【０１１３】
平坦な円板状である第一板体３に、円周方向に所定の間隔を空けて複数の第一通水孔８ａ、８ｂ、８ｃ、８ｄ（以下、第一通水孔を総称して符号８で表すことがある）と、案内部材１５とが配備されている点は実施例１の場合と同様である。また、これによって、第一通水孔８を介して第一貯留室６に流入する上水の流れが、案内部材１５によって、それぞれ、矢印１０２（図６）で示すように、斜め下方向に向かわせられ、矢印９（図７（ａ））で示すように、同一の円周方向に案内される点も実施例１の場合と同様である。【０１１４】
実施例２の節水具５１における案内部材１５は、第一板体３において各第一通水孔８が形成される位置で、各第一通水孔８形成用の三角形状部分６２を第一貯留室６側に向けて下り傾斜に折り曲げ、中空筒状体２の内周壁側の面と、当該折り曲げられた三角形状部分６２の表面との間により、上水の流れを斜め下方向（矢印１０２方向）に向かわせつつ、同一の円周方向（矢印９方向）に案内するものになっている。【０１１５】
実施例２の節水具５１では案内部材１５は第一板体３において実線５９、実線６０、破線６１で囲まれている三角形状部分６２を図８中、下側方向に折り曲げて形成している。第一板体３において、実線５９、実線６０の部分に切断線を入れる。そして、破線６１を折れ線部とし、実線５９と実線６０とが交差する三角形状部分６２の先端６３を図６、図８中、下側方向に向けて折り曲げる。例えば、三角形状部分６２が折れ線部にあたる破線６１から水平な第一板体３に対して４５度斜め下方向に傾斜するように折り曲げる。【０１１６】
このようにして第一通水孔８を形成すると、矢印１００、１０１のように第一板体３に向かってきた上水の流れは、円筒状のスペーサ５６の内周に沿って矢印９のように円周方向に向かいつつ、矢印１０２（図６）で示すように、斜め下方向に向かわせられる。【０１１７】
通水管（不図示）から矢印１００（図６）で示すように圧送されてきた上水は各第一通水孔８を介して、斜め下方向に向かって傾斜する三角形状部分６２に沿って、矢印１０２で示すように斜め下方に向かって第一貯留室６に流入する。同時に、スペーサ５６の内周壁と、傾斜する三角形状部分６２の表面との間に案内されて、矢印９で示すように円周方向に案内される。そこで、第一貯留室６内では、図６に矢印１０３で示すように、円周方向で下側に向かう上水の流れが生起される。【０１１８】
しかも、節水具５１は、図６中、上側が上水の通水管（不図示）に接続されて使用されるものであるので、第一通水孔８の全体の通水断面積は、通水管（不図示）の通水断面積より小さい。そこで、各第一通水孔８を通過する矢印１０２方向の上水の流れは、通水管（不図示）における矢印１００方向の上水の流れよりも速い。【０１１９】
前記において、第一板体３で実線５９、実線６０、破線６１で囲まれている三角形状部分６２の大きさは、水圧、水量、節水具の大きさ等を考慮して適宜に定めることができる。また、三角形状部分６２を、破線６１を折り線部として斜め下方に向かって折り曲げる角度も、水圧、水量、節水具の大きさ等を考慮して適宜に定めることができる。【０１２０】
第二板体４は、通水管（不図示）を通る上水の流動方向（矢印１００）に斜めに交叉するように傾斜している第三傾斜面５２と、第四傾斜面５３とを備えている（図６、図７（ｂ）、図８）。【０１２１】
第三傾斜面５２、第四傾斜面５３は、それぞれが、通水管（不図示）を通る上水の流動方向（矢印１００）に斜めに交叉するように傾斜しているだけでなく、第三傾斜面５２と第四傾斜面５３とが互いに交叉するように傾斜している（図６）。図示の実施形態では、円板状で平坦な第二板体４が中央部において下側方向に突出するように折り曲げられて第三傾斜面５２、第四傾斜面５３が形成されている。【０１２２】
第三傾斜面５２、第四傾斜面５３には、それぞれ、第四通水孔５４ａ、５４ｂが形成されている。第四通水孔５４ａ、５４ｂは、第一貯留室６内で斜め下方向（矢印１０２、１０３）に向かう上水の流れを受け入れて、上水を矢印５５ａ、５５ｂで示すように第二貯留室７に流入させるものである。【０１２３】
この実施例２においても、第三傾斜面５２に形成されている第四通水孔５４ａの通水断面積と、第四傾斜面５３に形成されている第四通水孔５４ｂの通水断面積とを足し合わせた第四通水孔全体の通水断面積は、第一板体３に形成されている第一通水孔全体の通水断面積より小さくなっている。【０１２４】
第三傾斜面５２に形成されている第四通水孔５４ａを介して第二貯留室７に流入する上水の流動する方向（矢印５５ａ）と、第四傾斜面５３に形成されている第四通水孔５４ｂを介して第二貯留室７に流入する上水の流動する方向（矢印５５ｂ）とは図６図示のように逆方向になる。【０１２５】
なお、第三傾斜面５２、第四傾斜面５３の傾斜角度は、第一板体３に第一通水孔８、案内部材１５が形成される際の三角形部分６２の傾斜角度に対応させることができる。例えば、前記のように、三角形部分６２が水平になっている平坦な第一板体３に対して斜め下方向に向かって４５度傾斜しているときに、第三傾斜面５２、第四傾斜面５３は水平になっている平坦な第二板体４に対して斜め下方向に向かって４５度傾斜するようにできる。【０１２６】
第四通水孔５４ａ、５４ｂは、実施例１で説明した第二通水孔１２と同じように、第三傾斜面５２、第四傾斜面５３に対して図６図示のように直交させて形成すればよい。【０１２７】
図示の実施形態では、第三傾斜面５２、第四傾斜面５３に対してそれぞれ一個ずつの第四通水孔５４ａ、５４ｂを形成しているが、複数個ずつ形成することもできる。【０１２８】
ただし、一個ずつ形成する場合であっても、複数個ずつ形成する場合であっても、矢印５５ａ、５５ｂで示すように第四通水孔５４ａ、５４ｂを介して第二貯留室７に流入する上水の逆方向の流れのバランスがとれていることが望ましい。そこで、第三傾斜面５２、第四傾斜面５３に形成される第四通水孔全体の通水断面積が、第一板体３に形成されている第一通水孔全体の通水断面積より小さくなることに配慮しつつ、矢印５５ａ、５５ｂで示すように第四通水孔を介して第二貯留室７に流入する上水の逆方向の流れのバランスがとれるように第四通水孔を形成する位置、第四通水孔の数、大きさを調整する。【０１２９】
図７（ｂ）図示の実施形態では同一の大きさの第四通水孔５４ａ、５４ｂを、円板状の第二板体４の中心に対して対象の位置になるように配置している。【０１３０】
なお、図示していないが、円板状で平坦な第二板体４が中央部において上側方向に突出するよう折り曲げて第三傾斜面５２、第四傾斜面５３を形成し、ここにそれぞれ第四通水孔を形成する形態にすることもできる。【０１３１】
この場合も、例えば、図７（ｂ）図示のように、第四通水孔５４ａ、５４ｂを、円板状の第二板体４の中心に対して対象の位置になるように配置することによって、第四通水孔を介して第二貯留室７に流入する上水の逆方向の流れのバランスがとれるようにすることができる。【０１３２】
なお、この実施例の節水具５１では、第一貯留室６の内径が下流に向かって次第に小さくなることによる流動速度上昇がないことを考慮し、円板状の第二板体４は図示しているように平坦であることが望ましい。【０１３３】
節水具５１においては、前述したように、第一通水孔８全体の通水断面積が通水管（不図示）より小さいことにより、上水は、通水管（不図示）を流動していた時よりも流速が速められて第一通水孔８を通過する。そして、案内部材１５によって斜め下方向（矢印１０２）に向かわせられつつ、同一の円周方向（矢印９）に案内される。【０１３４】
第四通水孔５４ａ、５４ｂが形成されている第三傾斜面５２、第四傾斜面５３は前述したように傾斜しており、第四通水孔５４ａ、５４ｂは、案内部材１５によって案内されて第一貯留室６に流入する上水の斜め下方向に向かう流れを受け入れて上水を第二貯留室７に流入させるように第三傾斜面５２、第四傾斜面５３に形成されている。そこで、上水は流動の勢い、速度を大きく低減させることなく、矢印５５ａ、５５ｂで示されるように流動する。【０１３５】
この際、第四通水孔５４ａ、５４ｂ全体の通水断面積は、第一通水孔８全体の通水断面積より小さいので、第四通水孔５４ａ、５４ｂを矢印５５ａ、５５ｂのように通過して第二貯留室７に流入する上水の流れは、上水が第一通水孔８を矢印１０２方向に通過して第一貯留室６に流入する際の流れよりも、更に、速くなる。【０１３６】
そして、第四通水孔５４ａ、５４ｂを介して第二貯留室７に流入する上水は矢印５５ａ、矢印５５ｂで示すようにバランスを保ってそれぞれ逆方向に向かって流入する。【０１３７】
これによって、前述したように、第四通水孔５４ａ、５４ｂに矢印１０３のように向かってきた上水は、更に、勢いを増して、第四通水孔５４ａ、５４ｂを矢印５５ａ、５５ｂのように通過し、第二貯留室７に流入する。【０１３８】
この実施例において第三板体５に形成されている複数の第五通水孔７０は、第四通水孔５４ａ、５４ｂを介して第二貯留室７に流入した上水を下側方向（矢印１０６）に向けて吐出するものであれば、それが形成されている箇所、通水断面積の大きさを問わない。【０１３９】
これは、前述した第一板体３、第一通水孔８、案内部材１５、第二板体４、第三傾斜面５２、第四傾斜面５３、第四通水孔５４ａ、５４ｂの形態、構造によって、矢印５５ａ、５５ｂのように互いに逆向きに第二貯留室７に流入する上水の勢いが非常に強く、流速が非常に速いためである。【０１４０】
このため、第一貯留室６の体積の大きさと、第二貯留室７の体積の大きさとの関係、第四通水孔５４ａ、５４ｂ全体の通水断面積の大きさと、第五通水孔７０全体の通水断面積の大きさとの関係を調整する必要はない。【０１４１】
むしろ、第四通水孔５４ａ、５４ｂを介して矢印５５ａ、矢印５５ｂで示すように第二貯留室７に流入する上水の流速、勢いが大きいので、第三板体５とこれに形成されている複数の第五通水孔７０は、節水具５１が取り付けられている上水設備の用途に適した流速にまで上水の流速、勢いを抑える役割を果たすものになる。【０１４２】
たとえば、図７（ｃ）図示のように、平板な円板状の第三板体５に複数の小径の第五通水孔７０が形成されている形態にすることができる。これは、洗面器の自動手洗い器に取り付けて使用することに適している。【０１４３】
図７（ｄ）図示のように、平板な円板状の第三板体５の円周方向に所定の間隔を開けて円周方向に延びる複数個の第五通水孔７１が形成されている形態にすることもできる。これは、図７（ｃ）図示の形態よりも矢印１０６方向に吐出する勢いが強くなるので、厨房などで使用されている上水の蛇口に用いることができる。【０１４４】
図７（ｃ）、図７（ｄ）のいずれの形態を採用した場合でも、洗面器の自動手洗い器で手や指先を洗い流す、厨房などで食器などを洗浄する、等々の使用に適した勢いで上水を吐出させ、単位時間あたりの矢印１０６方向への吐出量を少なくしつつ、良好な使用感を得ることができる。【０１４５】
図７（ｃ）図示の形態の第三板体５を備えているこの実施例の節水具５１を洗面器の自動手洗い器に取り付けた場合と、節水具５１を取り付けていない場合とで比較実験を行った。通水管の径：１３ｍｍ（通水断面積＝１３２．７７ｍｍ２）、４個の第一通水孔全体の通水断面積＝１４．０８ｍｍ２、２個の第四通水孔全体の通水断面積＝１２．００ｍｍ２、２９個の第五通水孔全体の通水断面積＝１１．１５ｍｍ２。【０１４６】
節水具５１を取り付けていない場合に比較して上水吐出量を８０％削減することができた。その一方、この洗面器の自動手洗い器で手や指先を洗い流す使用者からは良好な使用感であったとの感想を得ることができた。【０１４７】
また、図７（ｄ）図示の形態の第三板体５を備えているこの実施例の節水具５１をホテルの厨房の蛇口に取り付けた場合と、節水具５１を取り付けていない場合とで比較実験を行った。通水管の径：１３ｍｍ（通水断面積＝１３２．７７ｍｍ２）、４個の第一通水孔全体の通水断面積＝１４．０８ｍｍ２、２個の第四通水孔全体の通水断面積＝１２．００ｍｍ２、４個の第五通水孔全体の通水断面積＝１２．００ｍｍ２。【０１４８】
節水具５１を取り付けていない場合に比較して上水吐出量を８０％削減できた。そして、食器などを洗浄する能力、使用感に関しては、節水具５１を取り付けていない場合と同等以上であるとの感想を得ることができた。【０１４９】
このように、この実施例の節水具５１でも、供給側の水圧が高い場合、低い場合、供給側からの送水量が多い場合、少ない場合のいずれであっても、良好な使用感を得ることができる放水圧、放水量を実現し、なおかつ、単位時間当たりの使用水量を低減でき、高い省エネルギー効果を上げることができる。【０１５０】
なお、実施例２の節水具５１においても、実施例１の節水具１の場合と同じように、第一貯留室６の内径を第二板体４の位置に向けて次第に小さくしたり、第二貯留室７の体積を第一貯留室６の体積より小さくすることにより、第三板体５の第五通水孔７０、７１から吐出される上水の勢い、流速を強め、節水効率を高めることが可能である。【０１５１】
また、この実施例の節水具５１では、洗面器の自動手洗い器に取り付けて使用することができるように、通水管に接続される上端側（中空筒状体２の上端側内周）にねじ山が設けられている構造で説明した。しかし、実施例１の図１、図２を用いて説明した節水具１のように、上端側にねじ山が設けられていない構造にすることもできる。【０１５２】
以上、添付図面を参照して本発明の好ましい実施形態、実施例を説明したが、本発明はかかる実施形態、実施例に限定されるものではなく、特許請求の範囲の記載から把握される技術的範囲において種々の形態に変更可能である。
【図面の簡単な説明】
【０１５３】
【図１】本発明の節水具の内部を上水が流動する状況を説明する一部を省略した縦断面図。
【図２】（ａ）、（ｂ）、（ｃ）は、それぞれ、図１図示の実施形態における、第一板体、第二板体、第三板体の平面図。
【図３】案内部材が案内通路として構成されている例を説明する図であって、（ａ）は側面図、（ｂ）は案内通路入口と出口の断面積の大きさを説明する図。
【図４】本発明の他の節水具の内部を上水が流動する状況を説明する一部を省略した縦断面図。
【図５】（ａ）、（ｂ）、（ｃ）は、それぞれ、図４図示の実施形態における、第一板体、第二板体、第三板体の平面図。
【図６】本発明の更に他の節水具の内部を上水が流動する状況を説明する一部を省略した縦断面図。
【図７】（ａ）、（ｂ）、（ｃ）は、それぞれ、図６図示の実施形態における、第一板体、第二板体の平面図及び、第三板体の底面図、（ｄ）は第三板体の他の実施形態を説明する底面図。
【図８】図６の一部拡大図。
【図９】図７（ａ）の一部拡大図。
【符号の説明】
【０１５４】
１    節水具
２    中空筒状体
３    第一板体
４    第二板体
５    第三板体
６    第一貯留室
７    第二貯留室
８、８ａ、８ｂ、８ｃ、８ｄ  第一通水孔
１０  傾斜壁
１１ａ  第一傾斜面
１１ｂ  第二傾斜面
１２  第二通水孔
１３  案内側壁
１４  案内底板
１５  案内部材
１７、１７ａ、１７ｂ、１７ｃ、１７ｄ  内側第三通水孔
１８、１８ａ、１８ｂ、１８ｃ、１８ｄ  外側第三通水孔
５１  節水具
５２  第三傾斜面
５３  第四傾斜面
５４ａ、５４ｂ  第四通水孔
５８  中空筒状体の内周壁の段部
５６、５７  円筒状のスペーサ
６２  三角形状部分
６３  三角形状部分の先端
７０、７１  第五通水孔
【図１】
2009130803.tif 000003
【図２】
2009130803.tif 000004
【図３】
2009130803.tif 000005
【図４】
2009130803.tif 000006
【図５】
2009130803.tif 000007
【図６】
2009130803.tif 000008
【図７】
2009130803.tif 000009
【図８】
2009130803.tif 000010
【図９】
2009130803.tif 000011
【国際調査報告】
2009130803.tif 000012
2009130803.tif 000013
2009130803.tif 000014
2009130803.tif 000015